(57)【要約】【課題】図形の位置が、必ずしも、当該図形の配置を近似させるのに好適なグリッドポイントに近似されるとは限らなかった。【解決手段】複数のグリッドシステムが１つ以上のコンテンツを配置すべき１つ以上の領域を指定するために使用された使用回数を各グリッドポイント毎に記憶する記憶部と、コンテンツを配置すべき領域を操作するための操作部と、前記領域の位置と、前記領域の近傍に存在する２つ以上のグリッドポイントの位置との間の距離に、前記２つ以上のグリッドポイントの各毎における、前記複数のグリッドシステムの各々の使用回数の合計を重み付きした重み付き距離を算出する算出部と、前記重み付き距離の観点から、前記２つ以上のグリッドポイントのうち、前記コンテンツの領域の位置を近似させることに適したグリッドポイントを抽出する抽出部と、を含む。【選択図】図１
2007293657.tif 000002
【特許請求の範囲】
【請求項１】
各グリッドシステムが複数のグリッドポイントから構成されている複数のグリッドシステムが１つ以上のコンテンツを配置すべき１つ以上の領域を指定するために使用された使用回数を各グリッドポイント毎に記憶する記憶部と、
前記１つ以上のコンテンツに引き続くコンテンツを配置すべき領域を操作するための操作部と、
前記操作部により指定された前記領域の位置と、前記領域の近傍に存在する２つ以上のグリッドポイントの位置との間の距離に、前記記憶部に記憶された、前記２つ以上のグリッドポイントの各毎の前記使用回数により重み付きした重み付き距離を算出する算出部と、
前記重み付き距離の観点から、前記２つ以上のグリッドポイントのうち、前記コンテンツの領域の位置を近似させることに適したグリッドポイントを抽出する抽出部と、を含むことを特徴とするグリッドシステム選択支援装置。
【請求項２】
前記算出部は、前記重み付き距離の算出を、前記指定された領域の位置と前記２つ以上のグリッドポイントの各グリッドポイントの位置との間の距離に、前記２つ以上のグリッドポイントにおける、前記各グリッドポイント毎の前記使用回数の合計のうち最大の使用回数の合計の、当該グリッドポイントにおける前記使用回数の合計に対する比のべき乗を乗算することにより行うことを特徴とする請求項１記載のグリッドシステム選択支援装置。
【請求項３】
前記領域の近傍は、前記領域の位置から、前記複数のグリッドシステムの各々における前記複数のグリッドポイント間の間隔のうち最も大きい間隔に相当する長さだけ離れた位置までの範囲内であることを特徴とする請求項１記載のグリッドシステム選択支援装置。
【請求項４】
前記領域の近傍は、前記領域の位置と当該領域の位置から最も近い最近グリッドポイントの位置との間の距離と、使用回数が最も多い最多グリッドポイントの当該使用回数の、使用回数が最も少ない最少グリッドポイントの当該使用回数に対する比のべき乗との乗算の結果により規定される範囲内であることを特徴とする請求項１記載のグリッドシステム選択支援装置。
【請求項５】
前記抽出部は、前記２つ以上のグリッドポイントのうち、前記重み付き距離が最も小さいグリッドポイントを抽出することを特徴とする請求項１記載のグリッドシステム選択支援装置。
【請求項６】
１つ以上のコンテンツに引き続くコンテンツを配置すべき領域を操作する操作工程と、
各グリッドシステムが複数のグリッドポイントから構成されている複数のグリッドシステムが前記１つ以上のコンテンツを配置すべき１つ以上の領域を指定するために使用された、各グリッドポイント毎の使用回数を参照して、前記操作工程により指定された前記領域の位置と、前記領域の近傍に存在する２つ以上のグリッドポイントの位置との間の距離に、前記２つ以上のグリッドポイントの各毎の使用回数により重み付きした重み付き距離を算出する算出工程と、
前記重み付き距離の観点から、前記２つ以上のグリッドポイントのうち、前記コンテンツの領域の位置を近似させることに適したグリッドポイントを抽出する抽出工程と、を含むことを特徴とするグリッドシステム選択支援方法。
【請求項７】
前記算出工程は、前記重み付き距離の算出を、前記指定された領域の位置と前記２つ以上のグリッドポイントの各グリッドポイントの位置との間の距離に、前記２つ以上のグリッドポイントにおける、前記各グリッドポイント毎の前記使用回数の合計のうち最大の使用回数の合計の、当該グリッドポイントにおける前記使用回数の合計に対する比のべき乗を乗算することにより行うことを特徴とする請求項６記載のグリッドシステム選択支援方法。
【請求項８】
前記領域の近傍は、前記領域の位置から、前記複数のグリッドシステムの各々における前記複数のグリッドポイント間の間隔のうち最も大きい間隔に相当する長さだけ離れた位置までの範囲内であることを特徴とする請求項６記載のグリッドシステム選択支援方法。
【請求項９】
前記領域の近傍は、前記領域の位置と当該領域の位置から最も近い最近グリッドポイントの位置との間の距離と、使用回数が最も多い最多グリッドポイントの当該使用回数の、使用回数が最も少ない最少グリッドポイントの当該使用回数に対する比のべき乗との乗算の結果により規定される範囲内であることを特徴とする請求項６記載のグリッドシステム選択支援方法。
【請求項１０】
前記抽出工程は、前記２つ以上のグリッドポイントのうち、前記重み付き距離が最も小さいグリッドポイントを抽出することを特徴とする請求項６記載のグリッドシステム選択支援方法。
【請求項１１】
記憶部と、操作部と、算出部と、抽出部とからなるコンピュータを有するグリッドシステム選択支援装置のためのグリッドシステム選択支援プログラムであって、
前記記憶部に、各グリッドシステムが複数のグリッドポイントから構成されている複数のグリッドシステムが１つ以上のコンテンツを配置すべき１つ以上の領域を指定するために使用された使用回数を各グリッドポイント毎に記憶させる記憶工程と、
前記操作部に、前記１つ以上のコンテンツに引き続くコンテンツを配置すべき領域を操作させる操作工程と、
前記算出部に、前記操作工程により指定された前記領域の位置と、前記領域の近傍に存在する２つ以上のグリッドポイントの位置との間の距離に、前記記憶部に記憶された、前記２つ以上のグリッドポイントの各毎の使用回数により重み付きした重み付き距離を算出させる工程と、
前記抽出部に、前記重み付き距離の観点から、前記２つ以上のグリッドポイントのうち、前記コンテンツの領域の位置を近似させることに適したグリッドポイントを抽出させる抽出工程と、を含むことを特徴とするグリッドシステム選択支援プログラム。
【請求項１２】
前記算出工程は、前記算出部に、前記重み付き距離の算出を、前記指定された領域の位置と前記２つ以上のグリッドポイントの各グリッドポイントの位置との間の距離に、前記２つ以上のグリッドポイントにおける、前記各グリッドポイント毎の前記使用回数の合計のうち最大の使用回数の合計の、当該グリッドポイントにおける前記使用回数の合計に対する比のべき乗を乗算することにより行わせることを特徴とする請求項１１記載のグリッドシステム選択支援プログラム。
【請求項１３】
前記領域の近傍は、前記領域の位置から、前記複数のグリッドシステムの各々における前記複数のグリッドポイント間の間隔のうち最も大きい間隔に相当する長さだけ離れた位置までの範囲内であることを特徴とする請求項１１記載のグリッドシステム選択支援プログラム。
【請求項１４】
前記領域の近傍は、前記領域の位置と当該領域の位置から最も近い最近グリッドポイントの位置との間の距離と、使用回数が最も多い最多グリッドポイントの当該使用回数の、使用回数が最も少ない最少グリッドポイントの当該使用回数に対する比のべき乗との乗算の結果により規定される範囲内であることを特徴とする請求項１１記載のグリッドシステム選択支援プログラム。
【請求項１５】
前記抽出工程は、前記抽出部に、前記２つ以上のグリッドポイントのうち、前記重み付き距離が最も小さいグリッドポイントを抽出させることを特徴とする請求項１１記載のグリッドシステム選択支援プログラム。
【請求項１６】
請求項１１に記載されたグリッドシステム選択支援プログラムが記録されたコンピュータ読み取り可能な記録媒体。
【発明の詳細な説明】
【技術分野】
【０００１】
本発明は、写真、画像、文字等のコンテンツが吸着（拘束）されるべきグリッドポイントについてその間隔及び位置等が規定された複数のグリッドシステムから、前記コンテンツを配置すべき領域を指定するために使用することが望ましいグリッドシステムを選択することを支援するグリッドシステムの選択支援装置、選択支援方法、選択支援プログラム、及び記録媒体に関する。
【背景技術】
【０００２】
従来のグリッドシステム選択支援装置では、下記の特許文献１及び特許文献２に記載されているように、オペレータやユーザが、例えば、図形の入力を容易にすべく、当該装置が表示する複数のグリッド（グリッドシステムに相当。）の中から必要なグリッドを選択し、または、所望のグリッドを設定する。オペレータやユーザは、当該選択し又は設定したグリッド上に前記図形を配置する。配置に際しては、オペレータは、前記図形を所望のグリッドポイントに接近させることにより、所望のグリッドシステムを選択する。
【０００３】
【特許文献１】特開昭６４−１７１５６号公報
【特許文献２】特開平３−２６９６７８号公報
【発明の開示】
【発明が解決しようとする課題】
【０００４】
しかしながら、上記した従来のグリッドシステム選択支援装置は、当該図形の位置を、前記グリッド上に規定された離散的な点（グリッドポイントに相当。）のうち前記図形の位置に最も近いものに吸着させる、即ち、近似させることから、換言すれば、当該近似では、距離が近いか否かのみが考慮されて、前記図形の位置を近似させるべきグリッドポイントが決定されることから、前記図形の位置が、必ずしも、当該図形の配置を近似させるのに好適なグリッドポイントに近似されるとは限らないという問題があった。
【課題を解決するための手段】
【０００５】
上記した課題を解決すべく、本発明に係るグリッドシステム選択支援装置、選択支援方法、選択支援プログラム、及び記録媒体（以下、本欄で「グリッドシステム選択支援装置等」と略称する。）は、基本的に、（１）各グリッドシステムが複数のグリッドポイントから構成されている複数のグリッドシステムが１つ以上のコンテンツを配置すべき１つ以上の領域を指定するために使用された使用回数を各グリッドポイント毎に記憶し、（２）前記１つ以上のコンテンツに引き続くコンテンツを配置すべき領域を操作し、（３）前記操作により指定された前記領域の位置と、前記領域の近傍に存在する２つ以上のグリッドポイントの位置との間の距離に、前記２つ以上のグリッドポイントの各毎の前記使用回数により重み付きした重み付き距離を算出し、（４）前記重み付き距離の観点から、前記２つ以上のグリッドポイントのうち、前記コンテンツの領域の位置を近似させることに適したグリッドポイントを抽出する。
【０００６】
本発明に係るグリッドシステム選択支援装置等によれば、前記コンテンツの領域の位置と当該領域の近傍に位置する２つ以上のグリッドポイントの位置との間に距離に、前記グリッドポイント毎の前記各々の使用回数により重み付きした重み付き距離の観点から、前記コンテンツの領域の位置を近似させることに適したグリッドポイントを抽出することから、従来のような、前記距離だけを参照して、前記コンテンツの位置を近似させるべきグリッドポイントを抽出することに比して、前記コンテンツの位置を近似させるべきグリッドポイントをより的確に抽出することが可能となる。
【０００７】
上記した本発明に係るグリッドシステム選択支援装置等では、基本的に、前記重み付き距離の算出を、前記指定された領域の位置と前記２つ以上のグリッドポイントの各グリッドポイントの位置との間の距離に、前記２つ以上のグリッドポイントにおける、前記各グリッドポイント毎の前記使用回数の合計のうち最大の使用回数の合計の、当該グリッドポイントにおける前記使用回数の合計に対する比のべき乗を乗算することにより行う。
【０００８】
上記した本発明に係るグリッドシステム選択支援装置等では、基本的に、前記領域の近傍は、前記領域の位置から、前記複数のグリッドシステムの各々における前記複数のグリッドポイント間の間隔のうち最も大きい間隔に相当する長さだけ離れた位置までの範囲内である。
【０００９】
上記した本発明に係るグリッドシステム選択支援装置等では、基本的に、前記領域の近傍は、前記領域の位置と当該領域の位置から最も近い最近グリッドポイントの位置との間の距離と、使用回数が最も多い最多グリッドポイントの当該使用回数の、使用回数が最も少ない最少グリッドポイントの当該使用回数に対する比のべき乗との乗算の結果により規定される範囲内である。
【００１０】
上記した本発明に係るグリッドシステム選択支援装置等では、前記２つ以上のグリッドポイントのうち、前記重み付き距離が最も小さいグリッドポイントを抽出する。
【発明を実施するための最良の形態】
【００１１】
〈構成〉
図１は、実施例のグリッドシステム選択支援装置の構成を示す。実施例のグリッドシステム選択支援装置Ｄ１は、図２に示されるように、表示部６により表示される平面Ｓ上にオペレータが配置する、写真、画像、文字等の矩形のコンテンツＣ（より詳細には、後述されるコンテンツＣ１〜Ｃｎ（ｎは任意の２以上の整数）。説明及び理解の容易性の便宜上、コンテンツＣ１〜Ｃ３及びコンテンツＣｎについて詳述。）の位置、即ち領域を指定するために使用することが望ましいグリッドシステムＧＳ（複数のグリッドポイントＧＰからなる。）を、第１〜第５のグリッドシステムＧＳ１〜ＧＳ５（図３に図示）の中から選択することを支援すべく、操作部１と、処理部２と、管理部３と、記憶部４と、抽出部５と、表示部６とを含む。
【００１２】
グリッドシステム選択支援装置Ｄ１の説明に先立ち、第１〜第５のグリッドシステムＧＳ１〜ＧＳ５について説明する。
【００１３】
図３、図４、図５は、第１〜第５のグリッドシステムの内容を示す。第１のグリッドシステムＧＳ１は、図３に示されるように、基準が（０、０）であり、グリッド間隔（グリッドポイントＧＰ同士の間の距離）が「１０ｍｍ」である。このことから、第１のグリッドシステムＧＳ１では、図４（Ａ）に示されるように、座標（０、０）を基準として１０ｍｍ毎にグリッドポイントＧＰが存在する。第１のグリッドシステムＧＳ１は、更に、図３に示されるように、吸着位置（「吸着」とは、コンテンツＣが配置されたときに、コンテンツＣの所定の位置（例えば、角の位置や辺の位置。）を近傍のグリッドポイントＧＰに近似させることをいう。一般的には、「拘束」と呼ばれることもある。但し、本明細書では、「吸着」で統一する。）が「左上と右下」である。このことから、グリッドシステム選択支援装置Ｄ１は、オペレータが前記第１のグリッドシステムＧＳ１上にコンテンツＣを配置すると、図５（Ａ）に示されるように、コンテンツＣの左上の位置を近傍に存在するグリッドポイントＧＰに近似させ、かつ、コンテンツＣの右下の位置を近傍に存在するグリッドポイントＧＰに近似させる。
【００１４】
第２のグリッドシステムＧＳ２は、図３に示されるように、基準が（０、０）であり、グリッド間隔が「２０ｍｍ」であり、吸着位置が「左上と右下」であることから、図４（Ｂ）に示されるように、座標（０、０）を基準として２０ｍｍ毎にグリッドポイントＧＰが存在し、かつ、図５（Ａ）に示されるように、コンテンツＣの左上及び右下の位置を近傍のグリッドポイントＧＰに近似させる。
【００１５】
第３のグリッドシステムＧＳ３は、図３に示されるように、基準が（０、０）であり、グリッド間隔が「５ｍｍ」であり、吸着位置が「左上と右下」であることから、図４（Ｃ）に示されるように、座標（０、０）を基準として５ｍｍ毎にグリッドポイントＧＰが存在し、かつ、図５（Ａ）に示されるように、コンテンツＣの左上と右下の位置を近傍のグリッドポイントＧＰに近似させる。
【００１６】
第４のグリッドシステムＧＳ４は、図３に示されるように、基準が（０、０）であり、グリッド間隔が「２０ｍｍ」であり、吸着位置が「中央下」であることから、図４（Ｄ）に示されるように、座標（０、０）を基準として２０ｍｍ毎にグリッドポイントＧＰが存在し、かつ、図５（Ｂ）に示されるように、コンテンツＣの下辺の中央の位置を近傍のグリッドポイントＧＰに近似させる。
【００１７】
第５のグリッドシステムＧＳ５は、図３に示されるように、基準が（３０、３０）であり、グリッド間隔が「１００ｍｍ」であり、吸着位置が「左中央」であることから、図４（Ｅ）に示されるように、座標（３０、３０）を基準として１００ｍｍ毎にグリッドポイントＧＰが存在し、かつ、図５（Ｃ）に示されるように、コンテンツＣの左辺の中央の位置を近傍のグリッドポイントＧＰに近似させる。
【００１８】
図１に戻り、操作部１は、例えばマウスやキーボードからなり、オペレータが、表示部６に表示された平面Ｓ上で、前記コンテンツＣを配置すべき領域を指定するために用いられる。
【００１９】
処理部２は、例えばＣＰＵからなり、グリッドシステム選択支援装置Ｄ１の全体的な動作を制御し、例えば、表示部６に前記コンテンツＣやグリッドシステムＧＳを表示させる。処理部２は、また、図５を用いて上記したように、コンテンツＣの左上等を、当該コンテンツの左上等の近傍に位置するグリッドポイントＧＰに近似させる。
【００２０】
管理部３は、前記コンテンツＣの配置に関し、第１〜第５のグリッドシステムＧＳ１〜ＧＳ５のいずれを使用することが望ましいか否かを管理し、より詳しくは、第１〜第５のグリッドシステムＧＳ１〜ＧＳ５の使用可否フラグＦＧ（図１０に図示。オペレータがコンテンツＣの配置に使用することが望ましいグリッドシステムＧＳを表示部６に優先的に表示することにより当該優先の旨をオペレータに知らせるため、あるいは、処理部２においてコンテンツＣを配置するのに用いるグリッドシステムＧＳを選択するための指標。）について、過去から現在までに亘る使用回数ＣＴが大きい順に、３つのグリッドシステムＧＳの使用可否フラグＦＧを「可」に設定すると共に、残りの２つのグリッドシステムＧＳの使用可否フラグＦＧを「否」に設定するという『使用可否フラグ規則』に従って、第１〜第５のグリッドシステムＧ１〜ＧＳ５の使用可否フラグＦＧを「可」又は「否」に維持し、又は、「可」から「否」へ若しくは「否」から「可」へ変更する。
【００２１】
管理部３は、さらに、「算出部」として機能すべく、図１９、図２１に示されるように、重み付き距離ＰＤを算出する（詳細については後述する。）。
【００２２】
記憶部４は、一般的には、コンテンツＣに先立つ１つ以上のコンテンツ（図示せず）を配置するために第１〜第５の複数のグリッドシステムＧＳ１〜ＧＳ５がどのように使用されたかという使用履歴ＳＲとして、図３及び図１０に示されるように、第１〜第５のグリッドシステムＧＳ１〜ＧＳ５の内容、使用回数ＣＴ、使用可否フラグＦＧを書き換え可能に記憶している。より詳細には、例えば、コンテンツＣ１〜Ｃ３については、コンテンツＣ２を配置しようとするときには、当該コンテンツＣ２に先立つコンテンツＣ１を配置した時点までの第１〜第５のグリッドシステムＧＳ１〜ＧＳ５の使用履歴ＳＲを記憶し、また、コンテンツＣ３を配置しようとするときには、当該コンテンツＣ３に先立つコンテンツＣ２を配置した時点までの第１〜第５のグリッドシステムＧＳ１〜ＧＳ５の使用履歴ＳＲを記憶している。記憶部４は、更に、処理部２、管理部３、抽出部５等の動作を規定するプログラムＰＲ（図７、図８に図示のフローチャート）を記憶している。当該プログラムＰＲは、ＣＤ−ＲＯＭやＦＤのような記録媒体（図示せず）やＲＯＭに予め格納されており、当該記録媒体から記憶部４にコピーすることにより記憶部４に記憶されてもよい。
【００２３】
記憶部４は、加えて、図１５に示されたような、グリッドポイントＧＰ毎に吸着方法を記憶している。記憶部４は、例えば、グリッドポイントＧＰ（０、０）では、コンテンツＣの「左上」又は「右下」が吸着されることを記憶している。
【００２４】
抽出部５は、上記した使用可否フラグ規則に従いつつ、記憶部４に記憶された複数のグリッドシステムＧＳ１〜ＧＳ５の使用履歴ＳＲに基づき、前記コンテンツＣの配置に使用することが好適なグリッドシステムＧＳを抽出する。
【００２５】
表示部６は、オペレータが操作部１を用いてコンテンツＣを配置する便宜のために、図２に示されるように、平面Ｓに、コンテンツＣを表示し、また、第１〜第５のグリッドシステムＧＳ１〜ＧＳ５の使用可否フラグＦＧに従って、オペレータがコンテンツＣの配置のために使用することが望まれるグリッドシステムＧＳを表示する。
【００２６】
図６は、コンピュータ装置の構成を示す。図１に図示したグリッドシステム選択支援装置Ｄ１と図６に図示の一般的なコンピュータ装置ＣＯＭとの関係について、図１の操作部１は、図６の入力インターフェイス１１０から構成されており、図１の処理部２、管理部３、抽出部５は、図６のＣＰＵ１２０から構成されており、図１の記憶部４は、図６のＲＯＭ、ＲＡＭ１３０から構成されており、図１の表示部６は、図６の出力インターフェイス１４０から構成されている。
【００２７】
〈動作〉
図７は、実施例のグリッドシステム選択支援装置の基本動作を示すフローチャートである。以下、実施例のグリッドシステム選択支援装置Ｄ１の基本動作を説明する。図７に示される実施例のグリッドシステム選択支援装置Ｄ１の基本動作では、ステップＳａは、図８及び図９に示される、実施例のグリッドシステム選択支援装置Ｄ１の動作（具体的な動作）における、ステップＳ１０ａ、Ｓ１１ａ、Ｓ１２ａ、Ｓ１３ａに概ね対応し、ステップＳｂは、ステップＳ１０ｂ、１１ｂ、１２ｂおよびＳ１４〜Ｓ１８に概ね対応し、ステップＳｃは、ステップＳ１０ｃ、１１ｃ、１２ｃに概ね対応し、ステップＳｄは、ステップＳ１０ｄ、１１ｄ、１２ｄに概ね対応する。また、ステップＳｅは、いずれのステップにも対応しないが、例えば、コンテンツＣ１〜Ｃｎの色を変更する等の処理を行う。
【００２８】
ステップＳａ：表示部６は、使用可否フラグＦＧに従って、第１〜第５のグリッドシステムＧＳ１〜ＧＳ５のうちの表示すべきものを表示する。
【００２９】
ステップＳｂ：処理部２は、オペレータが表示部６の画面上で操作部１により操作したか否かを確認する。処理部２は、操作があったとき、当該操作が、「コンテンツＣの配置」に関するか、または、「終了」に関するかを確認する。処理部２は、（１）前記操作が「コンテンツＣの配置」に関するとき、図５（Ａ）〜（Ｃ）に示されるように、コンテンツＣの左上等を、当該左上等の近傍に位置するグリッドポイントＧＰに吸着（近似）させ、（２）前記操作が「コンテンツＣの配置」以外の他の処理に関するとき、当該他の処理のための動作を行い、（３）前記操作が「終了」に関するとき、グリッドシステムの選択支援の動作を終了する。
【００３０】
グリッドポイントの吸着においては、例えば、管理部３は、グリッドポイントＧＰについて、当該グリッドポイントが構成する１つ以上のグリッドシステムのうち、その吸着位置がコンテンツＣ１〜Ｃｎを吸着すべき位置と同様であるグリッドシステムの使用回数ＣＴの合計ＳＭを算出する。
【００３１】
ステップＳｃ：管理部３は、第１〜第５のグリッドシステムＧＳ１〜ＧＳ５のうち、コンテンツＣの配置に使用されたものの使用回数ＣＴを維持し又は変更する。
【００３２】
ステップＳｄ：抽出部５は、使用可否フラグ規則に従って、第１〜第５のグリッドシステムＧＳ１〜ＧＳ５の使用可否フラグＦＧを維持し又は変更する。
【００３３】
図８、及び図９は、実施例のグリッドシステム選択支援装置の動作を示すフローチャートである。以下、実施例のグリッドシステム選択支援装置Ｄ１の動作を図８及び図９のフローチャートに沿って説明する。以下の説明では、オペレータがｎ個のコンテンツＣ１〜Ｃｎを配置し、かつ、グリッドシステム選択支援装置Ｄ１が、当該コンテンツＣ１〜Ｃｎを「左上」に吸着させることを想定し、更に、グリッドシステム選択支援装置Ｄ１の動作の初期時には、図１０（Ａ）に示されるように、第１〜第５のグリッドシステムＧＳ１〜ＧＳ５について、使用回数ＣＴは、全て「０」であり、かつ、使用可否フラグＦＧは、全て「可」であることを前提とする。
【００３４】
ステップＳ１０ａ：表示部６は、図１０（Ａ）に示されるように、第１〜第５のグリッドシステムＧＳ１〜ＧＳ５の使用可否フラグＦＧが全て「可」であることから、図１１（Ａ）に示されるように、第１〜第５のグリッドシステムＧＳ１〜ＧＳ５を表示する。ここで、図１１（Ａ）では、第１〜第５のグリッドシステムＧＳ１〜ＧＳ５は、少しずつずれて表示されるのではなく、完全に重なって表示されることを表している（他の図１１（Ｂ）、（Ｃ）、（Ｄ）等についても同様。）。
【００３５】
ステップＳ１０ｂ：オペレータは、表示部６が表示する平面Ｓ上で、表示されている第１〜第５のグリッドシステムＧＳ１〜ＧＳ５を参照しながら、操作部１の操作によりコンテンツＣ１を配置する。ここで、コンテンツＣ１は、図１２に示されるように、左上の位置が（３０、２０）であり、右下の位置が（１７０、６０）である領域に配置されたものとする（当該領域は、必然的に、左下の位置が（３０、６０）であり、また、右上の位置が（１７０、２０）である。）。
【００３６】
ステップＳ１０ｃ：管理部３は、第１〜第５のグリッドシステムＧＳ１〜ＧＳ５のうちのいずれが、コンテンツＣ１の配置に使用されたかを検出し、第１〜第５のグリッドシステムＧＳ１〜ＧＳ５の使用回数ＣＴを管理し又は維持し、かつ、使用可否フラグＦＧを維持し又は変更する。
【００３７】
具体的には、管理部３は、第１のグリッドシステムＧＳ１の吸着位置が「左上と右下」であることから、コンテンツＣ１の左上（３０、２０）、右下（１７０、６０）が、図４（Ａ）に図示された、第１のグリッドシステムＧＳ１のグリッドポイントＧＰ（０、０）、ＧＰ（１０、０）、ＧＰ（２０、０）、ＧＰ（３０、０）、．．．、ＧＰ（２０、０）、ＧＰ（２０、１０）、ＧＰ（２０、２０）、．．．、ＧＰ（３０、２０）、．．．、ＧＰ（１７０、６０）、．．．のいずれかに一致するか否かを検証する。その結果、管理部３は、「一致する」、即ち、「使用された」と判断することから、図１０（Ｂ）に示されるように、第１のグリッドシステムＧＳ１の使用回数ＣＴを「０」から「１」に変更する。
【００３８】
管理部３は、第２のグリッドシステムＧＳ２の吸着位置が「左上と右下」であることから、コンテンツＣ１の左上（３０、２０）、右下（１７０、６０）が、図４（Ｂ）に図示された、第２のグリッドシステムＧＳ２のグリッドポイントＧＰ（０、０）、ＧＰ（２０、０）、ＧＰ（４０、０）、．．．、ＧＰ（０、２０）、ＧＰ（２０、２０）、ＧＰ（４０、２０）、．．．のいずれかに一致するか否かを検証する。その結果、管理部３は、「一致しない」と判断することから、図１０（Ｂ）に示されるように、第２のグリッドシステムＧＳ２の使用回数ＣＴを「０」のままに維持する。
【００３９】
管理部３は、第３のグリッドシステムＧＳ３の吸着位置が「左上と右下」であることから、コンテンツＣ１の左上（３０、２０）、右下（１７０、６０）が、図４（Ｃ）に図示された、第３のグリッドシステムＧＳ３のグリッドポイントＧＰ（０、０）、ＧＰ（５、０）、ＧＰ（１０、０）、ＧＰ（１５、０）、．．．、ＧＰ（３０、２０）、．．．、ＧＰ（１７０、６０）のいずれかに一致するか否かを検証する。その結果、管理部３は、「一致する」と判断することから、図１０（Ｂ）に示されるように、第３のグリッドシステムＧＳ３の使用回数ＣＴを「０」から「１」に変更する。
【００４０】
管理部３は、第４のグリッドシステムＧＳ４の吸着位置が「中央下」であることから、コンテンツＣ１の中央下（１００、６０）が、図４（Ｄ）に図示された、第４のグリッドシステムＧＳ４のグリッドポイントＧＰ（０、０）、ＧＰ（２０、０）、ＧＰ（４０、０）、．．．、ＧＰ（０、２０）、ＧＰ（２０、２０）、ＧＰ（４０、２０）、．．．、ＧＰ（１００、６０）、．．．のいずれかに一致するか否かを検証する。その結果、管理部３は、「一致する」と判断することから、図１０（Ｂ）に示されるように、第４のグリッドシステムＧＳ４の使用回数ＣＴを「０」から「１」に変更する。
【００４１】
管理部３は、第５のグリッドシステムＧＳ５の吸着位置が「左中央」であることから、コンテンツＣ１の左中央（３０、４０）が、図４（Ｅ）に図示された、第５のグリッドシステムＧＳ５のグリッドポイントＧＰ（３０、３０）、ＧＰ（１３０、３０）、ＧＰ（２３０、３０）、．．．、ＧＰ（３０、１３０）、ＧＰ（１３０、１３０）、ＧＰ（２３０、１３０）、．．．のいずれかに一致するか否かを検証する。その結果、管理部３は、「一致しない」と判断することから、図１０（Ｂ）に示されるように、第５のグリッドシステムＧＳ５の使用回数ＣＴを「０」のままに維持する。
【００４２】
上述した内容を要約すれば、コンテンツＣ１の配置には、第１、第３、第４のグリッドシステムＧＳ１、ＧＳ３、ＧＳ４が使用されていることになる。
【００４３】
ステップＳ１０ｄ：抽出部５は、上記した使用可否フラグ規則に従って、図１０（Ｂ）に示されるように、第１、第３、第４のグリッドシステムＧＳ１、ＧＳ３、ＧＳ４という３つのグリッドシステムの使用可否フラグＦＧを「可」のままに維持すると共に、残りの２つのグリッドシステムＧＳ２、ＧＳ５の使用可否フラグＦＧを「可」から「否」に変更する。
【００４４】
ステップＳ１１ａ：表示部６は、図１０（Ｂ）に示されるように、第１、第３、第４のグリッドシステムＧＳ１、ＧＳ３、ＧＳ４の使用可否フラグＦＧが「可」であることから、図１１（Ｂ）に示されるように、第１、第３、第４のグリッドシステムＧＳ１、ＧＳ３、ＧＳ４を表示する。
【００４５】
ステップＳ１１ｂ：ステップＳ１０ｂと同様に、オペレータは、表示されている第１、第３、第４のグリッドシステムＧＳ１、ＧＳ３、ＧＳ４を参照しつつ、平面Ｓ上でコンテンツＣ２を配置する。ここで、コンテンツＣ２は、図１３に示されるように、左上（３０、６５）、右下（９５、１８０）の領域に配置されたものとする。
【００４６】
ステップＳ１１ｃ：ステップＳ１０ｃと同様に、管理部３は、コンテンツＣ２の配置のために、第１〜第５のグリッドシステムＧＳ１〜ＧＳ５のいずれが使用されているかを検出し、第１〜第５のグリッドシステムＧＳ１〜ＧＳ５について、使用回数ＣＴの維持し又は変更する。それにより、管理部３は、第３のグリッドシステムＧＳ３が使用されていると判断し、図１０（Ｃ）に示されるように、第３のグリッドシステムＧＳ３の使用回数ＣＴを「１」から「２」に変更する。
【００４７】
ステップＳ１１ｄ：ステップＳ１０ｄと同様に、抽出部５は、第１〜第５のグリッドシステムＧＳ１〜ＧＳ５について、使用可否フラグＦＧの維持又は変更を行う。即ち、抽出部５は、上記した使用可否フラグ規則に基づき、図１０（Ｃ）に示されるように、使用回数ＣＴが多い順に、３つのグリッドシステムＧＳ、即ち、第１、第３、第４のグリッドシステムＧＳ１、ＧＳ３、ＧＳ４の使用可否フラグを「可」のまま維持し、他方で、残りの２つの第２、第５のグリッドシステムＧＳ２、ＧＳ５の使用可否フラグを「否」のまま維持する。
【００４８】
ステップＳ１２ａ：ステップＳ１１ａと同様に、表示部６は、図１０（Ｃ）に示されるように、第１、第３、第４のグリッドシステムＧＳ１、ＧＳ３、ＧＳ４の使用可否フラグが「可」であることから、図１１（Ｃ）に示されるように、これらのグリッドシステムＧＳ１、ＧＳ３、ＧＳ４を表示する。
【００４９】
ステップＳ１２ｂ：ステップＳ１０ｂ、１１ｂと同様に、オペレータは、表示されているグリッドシステムＧＳ１、ＧＳ３、ＧＳ４を参照しながら、平面Ｓ上でコンテンツＣ３を配置する。ここで、コンテンツＣ３は、図１４に示されるように、左上（３０、１８５）、右下（９５、２７５）である領域に配置されたものとする。
【００５０】
ステップＳ１２ｃ：ステップＳ１０ｃ、１１ｃと同様に、管理部３は、コンテンツＣ３の配置のために、第１〜第５のグリッドシステムＧＳ１〜ＧＳ５のいずれが使用されているかを検出し、これらのグリッドシステムＧＳ１〜ＧＳ５について、使用回数ＣＴの維持又は変更を行う。それにより、管理部３は、第３、第５のグリッドシステムＧＳ３、ＧＳ５が使用されていると判断し、図１０（Ｄ）に示されるように、第３のグリッドシステムＧＳ３の使用回数ＣＴを「２」から「３」に変更し、かつ、第５のグリッドシステムＧＳ５の使用回数ＣＴを「０」から「１」に変更する。
【００５１】
ステップＳ１２ｄ：抽出部５は、上記した使用可否フラグ規則に基づき、図１０（Ｄ）に示されるように、使用回数ＣＴが多い順に、３つのグリッドシステムＧＳ、即ち、第１、第３、第４、第５のグリッドシステムＧＳ１、ＧＳ３、ＧＳ４、ＧＳ５（グリッドシステムＧＳ１、ＧＳ４、ＧＳ５は、同順二位。）の使用可否フラグＦＧを「可」のまま維持し、又は、「否」から「可」に変更し、他方で、第２のグリッドシステムＧＳ２の使用可否フラグを「否」のままに維持する。
【００５２】
ステップＳ１３ａ：表示部６は、図１０（Ｄ）に示されるように、第１、第３、第４、第５のグリッドシステムＧＳ１、ＧＳ３、ＧＳ４、ＧＳ５の使用可否フラグＦＧが「可」であることから、図１１（Ｄ）に示されるように、これらのグリッドシステムＧＳ１、ＧＳ３、ＧＳ４、ＧＳ５を表示する。
【００５３】
ステップＳ１４：コンテンツＣ４（図示せず）以後についても同様な動作を行い、その結果として、コンテンツＣ１〜Ｃ（ｎ−１）の配置についての第１〜第５のグリッドシステムＧＳ１〜ＧＳ５の使用回数ＣＴが、図１６に示されるように、「８」、「５」、「１０」、「６」、「２」であることを想定する場合、管理部３は、図１７に示されるように、グリッドポイントＧＰ毎に、第１〜第５のグリッドシステムＧＳ１〜ＧＳ５の各々での使用回数ＣＴを集計する。管理部３は、例えば、グリッドポイントＧＰ（１０、１０）について、当該グリッドポイントＧＰ（１０、１０）が構成する第１、第３のグリッドシステムＧＳ１、ＧＳ３の吸着位置が、図３に示されるように、コンテンツＣ１〜Ｃｎを吸着すべき位置と同様に「左上」であることから、図１７に示されるような、第１、第３のグリッドシステムＧＳ１、ＧＳ３の使用回数ＣＴである「８」、「１０」の合計ＳＭを「１８」であると集計する。
【００５４】
他方で、管理部３は、例えば、グリッドポイントＧＰ（３０、３０）について、当該グリッドポイントＧＰ（３０、３０）が構成する第１、第３、第５のグリッドシステムＧＳ１、ＧＳ３、ＧＳ５のうち、第１、第３のグリッドシステムＧＳ１、ＧＳ３の吸着位置が、コンテンツＣ１〜Ｃｎを吸着すべき位置と同様に「左上」であることから、第１、第３のグリッドシステムＧＳ１、ＧＳ３の使用回数ＣＴである「８」、「１０」を加算するものの、第５のグリッドシステムＧＳ５の吸着位置が、図３に示されるように、コンテンツＣ１〜Ｃｎを吸着すべき位置と相違し「左中央」であることから、第５のグリッドシステムＧＳ５の使用回数ＣＴである「２」を加算せず、結果的に、合計ＳＭを「１８」であると集計する。
【００５５】
ステップＳ１５：オペレータは、表示されているグリッドシステムＧＳ（図示せず）を参考にしながら、平面Ｓ上で、図１８に示されたコンテンツＣｎを配置する。ここで、コンテンツＣｎは、図１８に示されるように、左上（１７、１７）である領域に配置されたものとする。
【００５６】
ステップＳ１６：管理部３は、コンテンツＣｎの左上（１７、１７）と、当該左上（１７、１７）の近傍に位置するグリッドポイントＧＰ（１５、１５）、ＧＰ（１５、２０）、ＧＰ（２０、１５）、ＧＰ（２０、２０）との間の重み付き距離ＰＤを算出する。管理部３は、具体的には、例えば、左上（１７、１７）とグリッドポイントＧＰ（１５、１５）との間の重み付き距離ＰＤについては、左上（１７、１７）及びグリッドポイントＧＰ（１５、１５）間の距離に、近傍に位置するグリッドポイントの使用回数の合計ＳＭの最大値、即ち、グリッドポイントＧＰ（２０、２０）の使用回数の合計ＳＭである「２３」と、当該グリッドポイントＧＰ（１５、１５）の使用回数の合計ＳＭである「１０」との比を乗算し、これにより、図１９に示されるように、重み付き距離ＰＤ「１８．４」を得る。他のグリッドポイントＧＰ（１５、２０）、ＧＰ（２０、１５）、ＧＰ（２０、２０）についても同様な乗算を行うことにより、それぞれ、重み付き距離ＰＤ「２９．９」、「２９．９」、「１８」を得る。
【００５７】
ステップＳ１７：抽出部５は、図１９に示された重み付き距離ＰＤのうち、最も値が小さい重み付き距離ＰＤ「１８」を検出する。
【００５８】
ステップＳ１８：処理部２は、図１８の矢印で示されるように、上記したコンテンツＣｎの左上（１７、１７）を、前記した最小値である重み付き距離ＰＤ「１８」に対応するグリッドポイントＧＰ（２０、２０）に吸着させ、即ち、近似させる。
【００５９】
〈効果〉
上述したように、実施例のグリッドシステム選択支援装置Ｄ１では、処理部２が、コンテンツＣｎの左上（１７、１７）、及び、当該左上（１７、１７）の近傍に位置するグリッドポイントＧＰ（１５、１５）、ＧＰ（２０、１５）、ＧＰ（１５、２０）、ＧＰ（２０、２０）を用いるだけでなく、各グリッドポイントＧＰにおける、第１〜第５のグリッドシステムＧＳ１〜ＧＳ５の使用回数の合計ＳＭをも用いて、前記したような重み付き距離ＰＤを算出し、処理部２が、前記左上（１７、１７）を、最小値の重み付き距離ＰＤ「１８」に対応するグリッドポイントＧＰ（２０、２０）に近似させることから、従来のような、距離が最も近いだけのグリッドポイントＧＰに近似させることに比して、より好適なグリッドポイントＧＰに近似させることが可能となる。
【００６０】
《変形例１》
変形例１のグリッドシステム選択支援装置では、上記したような、オペレータの操作により当該コンテンツＣｎが左上（１７、１７）の領域に位置されることとは異なり、オペレータの強い要望や意図の下に、、図１８に示されるように、オペレータの操作により当該コンテンツＣｎが、左上（１７、１７）ではなく、図２０に示されるように、左上（１７、１６）の領域に位置されることになったときには、当該左上（１７、１６）と、当該左上（１７、１６）の近傍に存在するグリッドポイントＧＰ（１５、１５）、ＧＰ（２０、１５）、ＧＰ（１５、２０）、ＧＰ（２０、２０）との間の重み付き距離ＰＤは、上記したと同様な計算を行う結果、図２１に示されるように、それぞれ、「１１．５」、「４６」、「２３」、「２５」となる。
【００６１】
これにより、上記したステップＳ１７で、抽出部５は、図２１に示された重み付き距離ＰＤのうち、最も値が小さい重み付き距離ＰＤ「１１．５」を検出し、上記したステップＳ１８で、処理部２は、図２０の矢印で示されるように、上記したコンテンツＣｎの左上（１７、１６）を、前記した最小値である重み付き距離ＰＤ「１１．５」に対応するグリッドポイントＧＰ（１５、１５）に吸着させる。このようにして、上記したような、コンテンツＣｎの左上（１７、１６）とその近傍に位置するグリッドポイントＧＰ（１５、１５）、ＧＰ（２０、１５）、ＧＰ（１５、２０）、ＧＰ（２０、２０）との間の距離を使用回数の合計ＳＭで重み付きした重み付き距離ＰＤに加えて、オペレータの要望や意図をも考慮した上で、コンテンツＣｎの左上（１７、１６）を吸着させるべき最適なグリッドポイントＧＰ（１５、１５）に当該左上（１７、１６）を吸着させることが可能となる。
【００６２】
《変形例２》
変形例２のグリッドシステム選択支援装置では、上記した実施例のグリッドシステム選択支援装置と異なり、図２２に示されるように、図３に示された第１〜第５のグリッドシステムＧＳ１〜ＧＳ５に代えて、第６、第２、第４、第７のグリッドシステムＧＳ６、ＧＳ２、ＧＳ４、ＧＳ７を用いる。ここで、変形例２における、第２、第４のグリッドシステムＧＳ２、ＧＳ４（図２２に図示。）は、実施例における第２、第４のグリッドシステムＧＳ２、ＧＳ４（図３に図示。）と同一である。
【００６３】
第６のグリッドシステムＧＳ６は、図２２に示されるように、基準が（０、０）であり、グリッド間隔が「１５ｍｍ」であり、吸着位置が「左上と右下」であることから、図２３（Ａ）に示されるように、座標（０、０）を基準として１５ｍｍ毎にグリッドポイントＧＰが存在し、かつ、図５（Ａ）に示されるように、コンテンツＣの左上及び右下の位置を近傍のグリッドポイントＧＰに近似させる。
【００６４】
第７のグリッドシステムＧＳ７は、図２２に示されるように、基準が（３０、３０）であり、グリッド間隔が「Ｘ方向：１００ｍｍ、Ｙ方向：３０ｍｍ」であり、吸着位置が「左中央」であることから、図２３（Ｂ）に示されるように、座標（３０、３０）を基準として、Ｘ方向については１００ｍｍ毎に、Ｙ方向については３０ｍｍ毎にグリッドポイントＧＰが存在し、かつ、図５（Ｃ）に示されるように、コンテンツＣの左中央の位置を近傍のグリッドポイントＧＰに近似させる。
【００６５】
上記した実施例のグリッドシステム選択支援装置の動作におけるステップＳ１４で、最終的に、コンテンツＣｎに先立つコンテンツＣ１〜Ｃ（ｎ−１）の配置についての第６、第２、第４、第７のグリッドシステムＧＳ６、ＧＳ２、ＧＳ４、ＧＳ７の使用回数ＣＴが、図２４に示されるように、「４」、「６」、「２」、「２」であることを想定する場合、管理部３は、図２５に示されるように、グリッドポイントＧＰ毎に、第６、第２、第４、第７のグリッドシステムＧＳ６、ＧＳ２、ＧＳ４、ＧＳ７の各々での使用回数ＣＴを集計する。
【００６６】
管理部３は、例えば、グリッドポイントＧＰ（０、３０）について、当該グリッドポイントＧＰ（０、３０）が構成する第６のグリッドシステムＧＳ６の吸着位置が、図２２に示されるように、コンテンツＣ１〜Ｃｎを吸着すべき位置と同様に「左上」であることから、即ち、一致することから、図２５に示されるように、第６のグリッドシステムＧＳ６の使用回数ＣＴである「４」を合計ＳＭとして集計する。
【００６７】
他方で、管理部３は、例えば、グリッドポイントＧＰ（０、０）について、当該グリッドポイントＧＰ（０、０）が構成する第６、第２、第４のグリッドシステムＧＳ６、ＧＳ２、ＧＳ４のうち、第６、第２のグリッドシステムＧＳ６、ＧＳ２の吸着位置が、コンテンツＣ１〜Ｃｎを吸着すべき位置と同様に「左上」であり、一致することから、第６、第２のグリッドシステムＧＳ６、ＧＳ２の使用回数ＣＴである「４」、「６」を加算するものの、第４のグリッドシステムＧＳ４の吸着位置が、図２２に示されるように、コンテンツＣ１〜Ｃｎを吸着すべき位置と相違し「中央下」であり、不一致であることから、図２５に示されるように、第４のグリッドシステムＧＳ４の使用回数ＣＴである「２」を加算せず、結果的に、合計ＳＭを「１０」であると集計する。
【００６８】
上記したステップＳ１４に引き続くステップＳ１５で、オペレータは、表示されているグリッドシステムＧＳ（図示せず）を参考にしながら、平面Ｓ（図２に図示。）上で、図２６に示されたコンテンツＣｎを配置する。ここで、コンテンツＣｎは、図２６に示されるように、左上（５０、５０）である領域に配置されたものとする。
【００６９】
ステップＳ１５に引き続くステップＳ１６で、管理部３は、コンテンツＣｎの左上（５０、５０）と、当該左上（５０、５０）から、吸着位置がコンテンツＣ１〜Ｃｎの吸着位置「左上」と同じく「左上」である、第６、第２のグリッドシステムＧＳ６、ＧＳ２におけるグリッドポイント間隔「１５ｍｍ」、「２０ｍｍ」（図２２に図示。）のうち大きい方のグリッドポイント間隔「２０ｍｍ」だけ離れた範囲内にあるグリッドポイントＧＰ（３０、３０）、ＧＰ（３０、４５）、．．．、ＧＰ（６０、４５）、ＧＰ（６０、６０）（図２６に図示。）との間の重み付き距離ＰＤを算出する。
【００７０】
管理部３は、具体的には、例えば、左上（５０、５０）とグリッドポイントＧＰ（３０、３０）との間の重み付き距離ＰＤについては、左上（５０、５０）及びグリッドポイントＧＰ（３０、３０）間の距離に、前記範囲内におけるグリッドポイントＧＰの使用回数の合計ＳＭの最大値の、即ち、グリッドポイントＧＰ（６０、６０）の使用回数の合計ＳＭである「１０」の、前記グリッドポイントＧＰ（３０、３０）の使用回数の合計ＳＭである「４」との比のべき乗、例えば、当該比の２乗を乗算し、これにより、重み付き距離ＰＤ「２５００．００」を得る。
【００７１】
ステップＳ１６に引き続くステップＳ１７で、抽出部５は、図２７に示された重み付き距離ＰＤのうち、最も値が小さい重み付き距離ＰＤ「２００．００」を検出する。さらに、ステップＳ１７に引き続くステップＳ１８で、処理部２は、図２６の矢印で示されるように、上記したコンテンツＣｎの左上（５０、５０）を、前記した最小値である重み付き距離ＰＤ「２００．００」に対応するグリッドポイントＧＰ（６０、６０）に吸着させ、即ち、近似させる。
【００７２】
上記したように、変形例２のグリッドシステム選択支援装置では、処理部２が、コンテンツＣｎの左上（５０、５０）と、当該左上（５０、５０）から第２グリッドシステムＧＳ２のグリッドポイント間隔「２０ｍｍ」だけ離れた範囲内に存在するグリッドポイントＧＰ（３０、３０）、ＧＰ（３０、４５）、．．．、ＧＰ（６０、４５）、ＧＰ（６０、６０）との間の距離に、当該範囲内に存在するグリッドポイントＧＰのうち使用回数の合計ＳＭが最大であるＧＰ（６０、６０）と、前記グリッドポイントＧＰ（３０、３０）、ＧＰ（３０、４５）、．．．、ＧＰ（６０、４５）、ＧＰ（６０、６０）の各々との比の２乗を乗算することにより、前記重み付き距離ＰＤを算出し、処理部２が、前記コンデンサＣｎの左上（５０、５０）を、最小の重み付き距離ＰＤ「２００．００」に対応するグリッドポイントＧＰ（６０、６０）に近似させることから、上記した実施例のグリッドシステム選択支援装置と同様に、従来のような、距離が最も近いだけのグリッドポイントＧＰに近似させることに比較して、より好適なグリッドポイントＧＰに近似させることができる。
【００７３】
《変形例３》
上記したように、変形例２のグリッドシステム選択支援装置では、管理部３が、ステップＳ１６で、前記重み付き距離ＰＤを、上記した比の２乗を用いて算出することに代えて、変形例３のグリッドシステム選択支援装置では、コンテンツＣｎの左上が（５３、３０）であることを想定すると、図２８に示されるように、重み付き距離ＰＤを、前記左上（５３、３０）と、当該左上（５３、３０）から第２のグリッドシステムＧＳ２のグリッドポイント間隔「２０ｍｍ」だけ離れた範囲内にあるグリッドポイントＧＰとの距離に、前記したような比の４乗を乗算することにより算出し、その結果として、上記した実施例及び変形例２のグリッドシステム選択支援装置と同様に、コンテンツＣｎの位置を、従来のコンテンツ選択支援装置が左上（５３、３０）を近似させる、当該左上（５３、３０）に最も近いグリッドポイントＧＰ（６０、３０）に代えて、より最適なグリッドポイントＧＰ（６０、２０）又はＧＰ（６０、４０）に近似させることが可能となる。
【００７４】
《変形例４》
変形例４のグリッドシステム選択支援装置の管理部３は、変形例２、変形例３のグリッドシステム選択支援装置における管理部３が、上記したような第２のグリッドシステムＧＳ２のグリッドポイント間隔「２０ｍｍ」を用いて、コンテンツＣｎの位置を近似させるグリッドポイントＧＰの候補を絞り込むこととは異なり、コンテンツＣｎの左上（５３、３０）と、当該左上（５３、３０）に最も近い最近グリッドポイントＧＰ（６０、３０）との距離（２乗距離）に、前記左上（５３、３０）を近似し得る全てのグリッドポイントＧＰのうち、使用回数ＣＴが最多である最多グリッドポイントＧＰ（６０、６０）の当該使用回数「１０」の、使用回数ＣＴが最少である最少グリッドポイントＧＰ、例えば、ＧＰ（１５、０）の当該使用回数「４」に対する比のべき乗、例えば、４乗を乗算することにより得られる２乗距離の平方根、即ち、約４４ｍｍ（＝√（（（６０−５３）2＋（３０−３０）2）×（１０／４）2）だけ前記左上（５３、３０）から離れた範囲内にあるグリッドポイントＧＰ（１５、０）、ＧＰ（１５、１５）、．．．、ＧＰ（９０、４５）、ＧＰ（９０、６０）（図２９に図示。）について重み付き距離ＰＤを算出し、その結果として、従来のコンテンツ選択支援装置が左上（５３、３０）を近似させた、当該左上（５３、３０）に最も近いグリッドポイントＧＰ（６０、３０）でもなく、また、変形例３のコンテンツ選択支援装置が近似させたグリッドポイントＧＰ（６０、２０）、ＧＰ（６０、４０）でもなく、より好適なグリッドポイントである、重み付き距離ＰＤ「９４９．００」に対応するグリッドポイントＧＰ（６０、０）又はＧＰ（６０、６０）に近似させることができる。
【図面の簡単な説明】
【００７５】
【図１】実施例のグリッドシステム選択支援装置の構成を示す図。
【図２】実施例の表示部での平面、グリッドシステム、グリッドポイント、コンテンツの関係を示す図。
【図３】実施例のグリッドシステムの内容を示す図（その１）。
【図４】実施例のグリッドシステムの内容を示す図（その２）。
【図５】実施例のグリッドシステムの内容を示す図（その３）。
【図６】コンピュータ装置の構成を示す図。
【図７】実施例のグリッドシステム選択支援装置の基本動作を示すフローチャート。
【図８】実施例のグリッドシステム選択支援装置の動作を示すフローチャート（その１）。
【図９】実施例のグリッドシステム選択支援装置の動作を示すフローチャート（その２）。
【図１０】実施例の使用履歴を示す図。
【図１１】実施例の表示部によるグリッドシステムの表示を示す図。
【図１２】実施例のコンテンツＣ１の配置を示す図。
【図１３】実施例のコンテンツＣ２の配置を示す図。
【図１４】実施例のコンテンツＣ３の配置を示す図。
【図１５】実施例のグリッドポイントを示す図。
【図１６】実施例のグリッドシステムの使用回数を示す図。
【図１７】実施例のグリッドポイント毎の使用回数の合計を示す図。
【図１８】実施例のコンテンツＣｎの配置を示す図。
【図１９】実施例の重み付き距離を示す図。
【図２０】変形例１のコンテンツＣｎの配置を示す図。
【図２１】変形例１の重み付き距離を示す図。
【図２２】変形例２のグリッドシステムの内容を示す図（その１）。
【図２３】変形例２のグリッドシステムの内容を示す図（その２）。
【図２４】変形例２のグリッドシステムの使用回数を示す図。
【図２５】変形例２のグリッドポイント毎の使用回数の合計を示す図。
【図２６】変形例２のコンテンツＣｎの配置を示す図。
【図２７】変形例２の重み付き距離を示す図。
【図２８】変形例３の重み付き距離を示す図。
【図２９】変形例４の重み付き距離を示す図。
【符号の説明】
【００７６】
Ｄ１…グリッドシステム選択支援装置、１…操作部、２…処理部、３…管理部、４…記憶部、５…抽出部、６…表示部。
【図１】
2007293657.tif 000003
【図２】
2007293657.tif 000004
【図３】
2007293657.tif 000005
【図４】
2007293657.tif 000006
【図５】
2007293657.tif 000007
【図６】
2007293657.tif 000008
【図７】
2007293657.tif 000009
【図８】
2007293657.tif 000010
【図９】
2007293657.tif 000011
【図１０】
2007293657.tif 000012
【図１１】
2007293657.tif 000013
【図１２】
2007293657.tif 000014
【図１３】
2007293657.tif 000015
【図１４】
2007293657.tif 000016
【図１５】
2007293657.tif 000017
【図１６】
2007293657.tif 000018
【図１７】
2007293657.tif 000019
【図１８】
2007293657.tif 000020
【図１９】
2007293657.tif 000021
【図２０】
2007293657.tif 000022
【図２１】
2007293657.tif 000023
【図２２】
2007293657.tif 000024
【図２３】
2007293657.tif 000025
【図２４】
2007293657.tif 000026
【図２５】
2007293657.tif 000027
【図２６】
2007293657.tif 000028
【図２７】
2007293657.tif 000029
【図２８】
2007293657.tif 000030
【図２９】
2007293657.tif 000031